(57)【要約】      （修正有）【課題】短焦点距離端の画角が７６度程度、ズーム比が７．０倍−７．３倍程度、レンズ交換式一眼レフカメラでも使用可能な長いバックフォーカスを有し、コンパクトで高性能な高変倍ズームレンズ系を得る。【解決手段】物体側から順に、正の第１レンズ群、負の第２レンズ群、正の第３レンズ群、及び正の第４レンズ群から構成され、ワイド端からテレ端への変倍に際し、第１レンズ群と第２レンズ群のレンズ群間隔が増加し、第２レンズ群と第３レンズ群のレンズ群間隔が減少するように、第１レンズ群ないし第４レンズ群の全てのレンズ群が移動し、次の条件式（１）及び（２）を満足する高変倍ズームレンズ系。（１）０．９＜ｆ３／ｆ４＜１．３（２）−３．８５＜ｆ１２３ｔ／ｆ４＜−３．０４但し、ｆ３：第３レンズ群の焦点距離、ｆ４：第４レンズ群の焦点距離、ｆ１２３ｔ：長焦点距離端における無限遠合焦時の第１、第２及び第３レンズ群の合成焦点距離。【選択図】図１
2012014005.tif 000002
【特許請求の範囲】
【請求項１】
物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、第１レンズ群と第２レンズ群のレンズ群間隔が増加し、第２レンズ群と第３レンズ群のレンズ群間隔が減少するように、第１レンズ群ないし第４レンズ群の全てのレンズ群が移動し、次の条件式（１）及び（２）を満足することを特徴とする高変倍ズームレンズ系。
（１）０．９＜ｆ３／ｆ４＜１．３
（２）−３．８５＜ｆ１２３ｔ／ｆ４＜−３．０４
但し、
ｆ３：第３レンズ群の焦点距離、
ｆ４：第４レンズ群の焦点距離、
ｆ１２３ｔ：長焦点距離端における無限遠合焦時の第１、第２及び第３レンズ群の合成焦点距離。
【請求項２】
請求項１記載の高変倍ズームレンズ系において、第２レンズ群は、フォーカシング時に移動するフォーカスレンズ群であり、次の条件式（３）を満足する高変倍ズームレンズ系。
（３）５５＜Ｒ１ｂ／ｄ1-2＜７０
但し、
Ｒ１ｂ：第１レンズ群の最も像側のレンズの像側の面の曲率半径、
ｄ1-2：短焦点距離端における無限遠合焦時の第１レンズ群と第２レンズ群のレンズ群間隔。
【請求項３】
請求項１または２記載の高変倍ズームレンズ系において、第４レンズ群は、物体側から順に、正レンズ、及び物体側から順に位置する負レンズと正レンズの接合レンズの３枚のレンズからなる高変倍ズームレンズ系。
【請求項４】
請求項３記載の高変倍ズームレンズ系において、次の条件式（４）を満足する高変倍ズームレンズ系。
（４）０．１５＜ｆ４ｐ１／ｆｔ＜０．３５
但し、
ｆ４ｐ１：第４レンズ群の物体側の正レンズの焦点距離、
ｆｔ：長焦点距離端における全系の焦点距離。
【請求項５】
請求項３または４記載の高変倍ズームレンズ系において、第４レンズ群の像側の正レンズは、像側の面が非球面からなる非球面レンズである高変倍ズームレンズ系。
【請求項６】
請求項１ないし５のいずれか１項記載の高変倍ズームレンズ系において、次の条件式（５）を満足する高変倍ズームレンズ系。
（５）−０．６７＜β２ｔ＜−０．６２
但し、
β２ｔ：長焦点距離端における無限遠合焦時の第２レンズ群の横倍率。
【請求項７】
物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、第１レンズ群と第２レンズ群のレンズ群間隔が増加し、第２レンズ群と第３レンズ群のレンズ群間隔が減少するように、第１レンズ群ないし第４レンズ群の全てのレンズ群が移動し、第４レンズ群は、物体側から順に、正レンズ、及び物体側から順に位置する負レンズと正レンズの接合レンズの３枚のレンズからなり、次の条件式（４）を満足することを特徴とする高変倍ズームレンズ系。
（４）０．１５＜ｆ４ｐ１／ｆｔ＜０．３５
但し、
ｆ４ｐ１：第４レンズ群の物体側の正レンズの焦点距離、
ｆｔ：長焦点距離端における全系の焦点距離。
【発明の詳細な説明】
【技術分野】
【０００１】
本発明は、小型の撮像素子を備えるデジタルカメラ用の撮像光学系として好適な高変倍ズームレンズ系に関する。
【背景技術】
【０００２】
近年、ズームレンズ系の高変倍化が進んでおり、同時に、ボディの小型化に伴うズームレンズ系の小型化の要求が高まっている。比較的高変倍のズームレンズ系として、例えば、正負正負正の５群タイプのズームレンズ系（特許文献１、２）、及び正負正正の４群タイプのズームレンズ系（特許文献３、４）が知られている。
【先行技術文献】
【特許文献】
【０００３】
【特許文献１】特開２００９−２４４４４３号公報
【特許文献２】特開２００９−１７５３２４号公報
【特許文献３】特開２００９−５８９８０号公報
【特許文献４】特開２００５−３３１６９７号公報
【発明の概要】
【発明が解決しようとする課題】
【０００４】
しかし、特許文献１、２記載の正負正負正の５群タイプのズームレンズ系にあっては、レンズ群数が５つであることから、部品点数の増加及びメカ構造の複雑化に伴う大型化の問題が生じ、コンパクトなズームレンズ系を得ることが難しい。
一方、正負正正の４群タイプのズームレンズ系であっても、特許文献３記載のズームレンズ系は、短焦点距離端でのレンズ全長が長く、小型化が不十分である。また、特許文献４記載のズームレンズ系は、小型化は達成されているものの、長焦点距離端での焦点距離が１２０ｍｍでズーム比（変倍比）が６．４倍程度とやや小さい。
【０００５】
本発明は、短焦点距離端の画角が７６度程度で、７．０倍−７．３倍程度のズーム比を実現し、レンズ交換式一眼レフカメラでも使用可能な長いバックフォーカスを有し、コンパクトで高性能な高変倍ズームレンズ系を得ることを目的とする。
【課題を解決するための手段】
【０００６】
本発明の高変倍ズームレンズ系は、物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、第１レンズ群と第２レンズ群のレンズ群間隔が増加し、第２レンズ群と第３レンズ群のレンズ群間隔が減少するように、第１レンズ群ないし第４レンズ群の全てのレンズ群が移動し、次の条件式（１）及び（２）を満足することを特徴としている。
（１）０．９＜ｆ３／ｆ４＜１．３
（２）−３．８５＜ｆ１２３ｔ／ｆ４＜−３．０４
但し、
ｆ３：第３レンズ群の焦点距離、
ｆ４：第４レンズ群の焦点距離、
ｆ１２３ｔ：長焦点距離端における無限遠合焦時の第１、第２及び第３レンズ群の合成焦点距離、
である。
【０００７】
本発明の高変倍ズームレンズ系は、第２レンズ群をフォーカシング時に移動するフォーカスレンズ群とし（無限遠物体から有限距離物体に合焦させるに際し第２レンズ群を繰り出してフォーカシングを行い）、さらに次の条件式（３）を満足することが好ましい。
（３）５５＜Ｒ１ｂ／ｄ1-2＜７０
但し、
Ｒ１ｂ：第１レンズ群の最も像側のレンズの像側の面の曲率半径、
ｄ1-2：短焦点距離端における無限遠合焦時の第１レンズ群と第２レンズ群のレンズ群間隔（第１レンズ群の最も像側の面と第２レンズ群の最も物体側の面の光軸上の距離）、
である。
【０００８】
本発明の高変倍ズームレンズ系は、第４レンズ群を、物体側から順に、正レンズ、及び物体側から順に位置する負レンズと正レンズの接合レンズの３枚のレンズから構成することが好ましい。
【０００９】
本発明の高変倍ズームレンズ系は、さらに次の条件式（４）を満足することが好ましい。
（４）０．１５＜ｆ４ｐ１／ｆｔ＜０．３５
但し、
ｆ４ｐ１：第４レンズ群の物体側の正レンズの焦点距離、
ｆｔ：長焦点距離端における全系の焦点距離、
である。
【００１０】
本発明の高変倍ズームレンズ系は、第４レンズ群の像側の正レンズを、像側の面が非球面からなる非球面レンズとすることが好ましい。
【００１１】
本発明の高変倍ズームレンズ系は、さらに次の条件式（５）を満足することが好ましい。
（５）−０．６７＜β２ｔ＜−０．６２
但し、
β２ｔ：長焦点距離端における無限遠合焦時の第２レンズ群の横倍率、
である。
【００１２】
本発明の高変倍ズームレンズ系は、別の態様では、物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、第１レンズ群と第２レンズ群のレンズ群間隔が増加し、第２レンズ群と第３レンズ群のレンズ群間隔が減少するように、第１レンズ群ないし第４レンズ群の全てのレンズ群が移動し、第４レンズ群は、物体側から順に、正レンズ、及び物体側から順に位置する負レンズと正レンズの接合レンズの３枚のレンズからなり、次の条件式（４）を満足することを特徴としている。
（４）０．１５＜ｆ４ｐ１／ｆｔ＜０．３５
但し、
ｆ４ｐ１：第４レンズ群の物体側の正レンズの焦点距離、
ｆｔ：長焦点距離端における全系の焦点距離、
である。
【発明の効果】
【００１３】
本発明によれば、短焦点距離端の画角が７６度程度で、７．０倍−７．３倍程度のズーム比を実現し、レンズ交換式一眼レフカメラでも使用可能な長いバックフォーカスを有し、コンパクトで高性能な高変倍ズームレンズ系を得ることができる。
【図面の簡単な説明】
【００１４】
【図１】本発明による高変倍ズームレンズ系の数値実施例１の長焦点距離端における無限遠合焦時のレンズ構成図である。
【図２】図１の構成における諸収差図である。
【図３】図１の構成における横収差図である。
【図４】同数値実施例１の短焦点距離端における無限遠合焦時のレンズ構成図である。
【図５】図４の構成における諸収差図である。
【図６】図４の構成における横収差図である。
【図７】本発明による高変倍ズームレンズ系の数値実施例２の長焦点距離端における無限遠合焦時のレンズ構成図である。
【図８】図７の構成における諸収差図である。
【図９】図７の構成における横収差図である。
【図１０】同数値実施例２の短焦点距離端における無限遠合焦時のレンズ構成図である。
【図１１】図１０の構成における諸収差図である。
【図１２】図１０の構成における横収差図である。
【図１３】本発明による高変倍ズームレンズ系の数値実施例３の長焦点距離端における無限遠合焦時のレンズ構成図である。
【図１４】図１３の構成における諸収差図である。
【図１５】図１３の構成における横収差図である。
【図１６】同数値実施例３の短焦点距離端における無限遠合焦時のレンズ構成図である。
【図１７】図１６の構成における諸収差図である。
【図１８】図１６の構成における横収差図である。
【図１９】本発明による高変倍ズームレンズ系の数値実施例４の長焦点距離端における無限遠合焦時のレンズ構成図である。
【図２０】図１９の構成における諸収差図である。
【図２１】図１９の構成における横収差図である。
【図２２】同数値実施例４の短焦点距離端における無限遠合焦時のレンズ構成図である。
【図２３】図２２の構成における諸収差図である。
【図２４】図２２の構成における横収差図である。
【図２５】本発明による高変倍ズームレンズ系の数値実施例５の長焦点距離端における無限遠合焦時のレンズ構成図である。
【図２６】図２５の構成における諸収差図である。
【図２７】図２５の構成における横収差図である。
【図２８】同数値実施例５の短焦点距離端における無限遠合焦時のレンズ構成図である。
【図２９】図２８の構成における諸収差図である。
【図３０】図２８の構成における横収差図である。
【図３１】本発明による高変倍ズームレンズ系の数値実施例６の長焦点距離端における無限遠合焦時のレンズ構成図である。
【図３２】図３１の構成における諸収差図である。
【図３３】図３１の構成における横収差図である。
【図３４】同数値実施例６の短焦点距離端における無限遠合焦時のレンズ構成図である。
【図３５】図３４の構成における諸収差図である。
【図３６】図３４の構成における横収差図である。
【図３７】本発明による高変倍ズームレンズ系の数値実施例７の長焦点距離端における無限遠合焦時のレンズ構成図である。
【図３８】図３７の構成における諸収差図である。
【図３９】図３７の構成における横収差図である。
【図４０】同数値実施例７の短焦点距離端における無限遠合焦時のレンズ構成図である。
【図４１】図４０の構成における諸収差図である。
【図４２】図４０の構成における横収差図である。
【図４３】本発明によるズームレンズ系のズーム軌跡を示す簡易移動図である。
【発明を実施するための形態】
【００１５】
本実施の形態の高変倍ズームレンズ系は、図４３の簡易移動図に示すように、物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４から構成されている。第２レンズ群Ｇ２と第３レンズ群Ｇ３の間に位置する絞りＳは、第３レンズ群Ｇ３と一体に移動する。Ｉは像面である。第２レンズ群Ｇ２は、フォーカシング時に移動するフォーカスレンズ群である（無限遠物体から有限距離物体へ合焦させるに際し第２レンズ群を物体側に繰り出してフォーカシングを行う）。
【００１６】
この高変倍ズームレンズ系は、短焦点距離端（Ｗ）から長焦点距離端（Ｔ）への変倍（ズーミング）に際し、第１レンズ群Ｇ１と第２レンズ群Ｇ２のレンズ群間隔が増加し、第２レンズ群Ｇ２と第３レンズ群Ｇ３のレンズ群間隔が減少するように、第１レンズ群Ｇ１ないし第４レンズ群Ｇ４の全てのレンズ群が物体側へ単調に移動する。尚、第３レンズ群Ｇ３と第４レンズ群Ｇ４のレンズ群間隔は増加しても減少してもよい。また第１レンズ群Ｇ１の移動量（繰り出し量）は、第２レンズ群Ｇ２の移動量（繰り出し量）より大きいのはもちろん、第３レンズ群Ｇ３及び第４レンズ群Ｇ４の移動量（繰り出し量）よりも大きい。
【００１７】
第１レンズ群Ｇ１は、全数値実施例１−７を通じて、物体側から順に、物体側から順に位置する物体側に凸の負メニスカスレンズ１１と両凸正レンズ１２の接合レンズＣ１、及び物体側に凸の正メニスカスレンズ１３からなる。
【００１８】
第２レンズ群Ｇ２は、全数値実施例１−７を通じて、物体側から順に、物体側に凸の負メニスカスレンズ２１、両凹負レンズ２２、両凸正レンズ２３、及び像側に凸の負メニスカスレンズ２４からなる。負メニスカスレンズ２１の物体側の面には、合成樹脂材料による非球面層が接着形成されている。
【００１９】
第３レンズ群Ｇ３は、数値実施例１−４、６、７では、物体側から順に、両凸正レンズ３１、両凸正レンズ３２、及び両凹負レンズ３３からなる。
第３レンズ群Ｇ３は、数値実施例５では、物体側から順に、両凸正レンズ３１’、及び物体側から順に位置する両凸正レンズ３２’と像側に凸の負メニスカスレンズ３３’の接合レンズＣ３からなる。
【００２０】
第４レンズ群Ｇ４は、物体側から順に、両凸正レンズ４１、及び物体側から順に位置する負レンズ４２と両凸正レンズ４３の接合レンズＣ４からなる。両凸正レンズ４３は、その像側の面が非球面からなる非球面レンズである。負レンズ４２は、数値実施例１−４、６、７では両凹負レンズからなり、数値実施例５では物体側に凸の負メニスカスレンズからなる。
【００２１】
本実施の形態では、第２レンズ群を物体側に移動させてフォーカシングを行うインナーフォーカス方式を採用している。第１レンズ群のように大きくて重いレンズ群を移動させる必要がないので、オートフォーカス時の駆動系への負担が少なく、迅速なピント合わせが可能であり、また近距離物体撮影時の周辺光量の低下が少なく、前玉径を比較的小さく保つことができるので、小型化（コンパクト化）に有利であるなどの実用上の利点が多い。
【００２２】
条件式（１）は、第３レンズ群の焦点距離と、第４レンズ群の焦点距離との比を規定するものであり、優れた光学性能を保ちながら短焦点距離端でのコンパクト化を実現するための条件式である。
条件式（１）の上限を超えると、第４レンズ群のパワーが強くなり、短焦点距離端での周辺部のコマ収差が大きく発生して補正が困難になる。
条件式（１）の下限を超えると、第３レンズ群のパワーが強くなり、球面収差の補正が困難となる。また、第３レンズ群のパワーが強くなることで、コンパクト化には有利であるが、バックフォーカスの確保が困難となる。これを回避するために第２レンズ群のパワーを強くすると、短焦点距離端での歪曲収差が大きく発生して好ましくない。
【００２３】
高変倍ズームレンズは一般に、特に長焦点距離端において球面収差が発生しやすい。また、計算上の収差補正を重視した結果、加工組立誤差による感度（組立感度）が高くなることも避けなければならない。条件式（２）は、長焦点距離端における無限遠合焦時の第１、第２及び第３レンズ群の合成焦点距離と、第４レンズ群の焦点距離との比を規定するものであり、高変倍でありながら、特に長焦点距離端における収差補正を良好に行い、かつ組立感度が高くなることを防止するための条件式である。条件式（２）を満足することにより、第４レンズ群へ入射する軸上光線をほぼアフォーカルに近い状態にして、第４レンズ群の組立感度が高くなることを防止し、さらに特に長焦点距離端の球面収差を無理なく良好に補正することができる。
条件式（２）の上限を超えると、第１、第２及び第３レンズ群の合成レンズ群の負のパワーが強くなるため、軸上光線が大きく発散して第４レンズ群に入射してしまう。レンズ系をコンパクトにするためには第４レンズ群のパワーを強くする必要があるが、第４レンズ群に発散光束が入射すると、球面収差の補正が困難になるばかりでなく、加工組立誤差による感度（組立感度）が高くなって好ましくない。
条件式（２）の下限を超えると、第１レンズ群ないし第３レンズ群の合成レンズ群の負のパワーが弱くなるため、よりアフォーカルに近い状態になるが、軸外のコマ収差が大きく発生して好ましくない。
【００２４】
第２レンズ群は、各数値実施例に示すように、フォーカシング時に移動するフォーカスレンズ群である。
条件式（３）は、第２レンズ群をフォーカスレンズ群とする構成において、第１レンズ群の最も像側のレンズの像側の面の曲率半径と、短焦点距離端における無限遠合焦時の第１レンズ群と第２レンズ群のレンズ群間隔との比を規定するものであり、短焦点距離端における第１レンズ群の小型化と収差補正の両立を実現するための条件式である。
条件式（３）の上限を超えると、第１レンズ群の最も像側のレンズの像側の面での短焦点距離端における軸外光束の屈折が大きく、軸外コマ収差の補正が困難になる。
条件式（３）の下限を超えて第１レンズ群の最も像側のレンズの像側の面の曲率半径が小さくなると、短焦点距離端における軸外光束の屈折が緩くなるため、ズーム全域において非点収差の補正には有利であるが、第１レンズ群と第２レンズ群のレンズ群間隔が広くなり、レンズ全長や前玉径が増大し、小型化に不利である。
【００２５】
第４レンズ群をコンパクトにするために収差補正に必要な最小のレンズ枚数で構成され、かつ良好な性能を確保するために、第４レンズ群は、物体側から順に、正レンズ、負レンズ、正レンズの３枚構成とすることが好ましい。従来、最も物体側の正レンズを２枚の正レンズとし、加工組立誤差による感度（組立感度）を分散させる手法がとられる（第４レンズ群を物体側から順に正正負正の４枚構成とする）ことが多いが、レンズ枚数が増えることにより、第４レンズ群が大型化してしまう。
第４レンズ群の負レンズと像側の正レンズは接合するのが好ましい。これにより、第４レンズ群の負レンズの像側の面と像側の正レンズの物体側の面で感度が高くなりすぎることがなく、組立感度が高くなることの発生要因を減らすことができる。
第４レンズ群の像側の正レンズは、像側の面が非球面からなる非球面レンズとすることが好ましい。これにより、高次の球面収差や軸外のコマ収差を良好に補正することができるとともに、第４レンズ群内で発生し得る組立感度が高くなることの発生要因を減らすことができる。
【００２６】
条件式（４）は、第４レンズ群を、物体側から順に、正レンズ、及び物体側から順に位置する負レンズと正レンズの接合レンズの３枚のレンズとした構成において、第４レンズ群の物体側の正レンズの焦点距離と、長焦点距離端における全系の焦点距離との比を規定するものである。条件式（４）を満足することにより、物体側に配置する正レンズが１枚であっても、加工組立誤差による感度（組立感度）を抑えつつ、球面収差等の収差を良好に補正することができる。
条件式（４）の上限を超えると、球面収差が過剰補正になり、像面湾曲がプラス方向に増大して好ましくない。ここでいう「プラス方向」とは、像面がオーバーになる方向（後ピン方向）を意味する。また、長焦点距離端のレンズ全長が大きくなって好ましくない。
条件式（４）の下限を超えると、第４レンズ群の物体側の正レンズのパワーが強くなり、球面収差や軸外コマ収差が発生して好ましくない。また、第４レンズ群の物体側の正レンズの組立感度が大きくなることによる性能低下が起こり好ましくない。
【００２７】
条件式（５）は、長焦点距離端における無限遠合焦時の第２レンズ群の横倍率を規定するものである。
条件式（５）の上限を超えると、長焦点距離端において第２レンズ群から第３レンズ群に入射する光線の角度が大きくなるため、第３レンズ群で発生する球面収差が大きくなって補正が困難となる。
条件式（５）の下限を超えると、フォーカシング時の第２レンズ群の移動量が増えるため、長焦点距離端でのフォーカシング時に生じる収差変動が大きくなり好ましくない。
【実施例】
【００２８】
次に具体的な数値実施例を示す。以下の数値実施例は、本発明の高変倍ズームレンズ系をデジタル一眼レフカメラに用いる場合に対応している。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００２９】
［数値実施例１］
図１〜図６と表１〜表４は、本発明による高変倍ズームレンズ系の数値実施例１を示している。図１は長焦点距離端における無限遠合焦時のレンズ構成図、図２はその諸収差図、図３はその横収差図であり、図４は短焦点距離端における無限遠合焦時のレンズ構成図、図５はその諸収差図、図６はその横収差図である。表１は面データ、表２は各種データ、表３は非球面データ、表４はレンズ群データである。
【００３０】
本数値実施例１の高変倍ズームレンズ系は、物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４から構成されている。第２レンズ群Ｇ２は、フォーカシング時に移動するフォーカスレンズ群である（無限遠物体から有限距離物体へ合焦させるに際し第２レンズ群を物体側に繰り出してフォーカシングを行う）。
【００３１】
第１レンズ群Ｇ１（面番号１から５）は、物体側から順に、物体側から順に位置する物体側に凸の負メニスカスレンズ１１と両凸正レンズ１２の接合レンズＣ１、及び物体側に凸の正メニスカスレンズ１３からなる。
第２レンズ群Ｇ２（面番号６から１４）は、物体側から順に、物体側に凸の負メニスカスレンズ２１、両凹負レンズ２２、両凸正レンズ２３、及び像側に凸の負メニスカスレンズ２４からなる。負メニスカスレンズ２１の物体側の面には、合成樹脂材料による非球面層が接着形成されている。
第３レンズ群Ｇ３（面番号１６から２１）は、物体側から順に、両凸正レンズ３１、両凸正レンズ３２、及び両凹負レンズ３３からなる。第２レンズ群Ｇ２と第３レンズ群Ｇ３の間に位置する絞りＳ（面番号１５）は、第３レンズ群Ｇ３と一体に移動する。
第４レンズ群Ｇ４（面番号２２から２６）は、物体側から順に、両凸正レンズ４１、及び物体側から順に位置する両凹負レンズ４２と両凸正レンズ４３の接合レンズＣ４からなる。両凸正レンズ４３は、その像側の面が非球面からなる非球面レンズである。
【００３２】
（表１）
面データ
面番号          r          d          N(d)        νｄ
1           110.234      1.800      1.80518       25.5
2            56.449      8.305      1.48749       70.4
3          -720.370      0.150
4            48.733      5.258      1.69680       55.5
5           155.193        d5
6*          156.101      0.200      1.52972       42.7
7           129.644      1.250      1.83481       42.7
8            12.172      5.585
9           -33.583      1.340      1.83481       42.7
10           49.000      0.515
11           29.705      3.641      1.84666       23.8
12          -29.705      0.712
13          -20.403      1.250      1.77250       49.6
14         -115.732       d14
15絞            ∞       0.500
16           51.303      2.349      1.48749       70.4
17          -51.303      0.566
18           23.522      3.301      1.48749       70.4
19         -653.902      0.980
20          -34.497      1.300      1.70154       41.2
21          860.468       d21
22           25.162      3.881      1.49700       81.6
23          -40.887      1.858
24        -2060.077      2.014      1.80450       39.6
25           14.881      5.000      1.58636       60.9
26*         -78.231        -
＊は回転対称非球面である。
（表２）
各種データ
ズーム比（変倍比）    7.06
短焦点距離端          中間焦点距離          長焦点距離端
FNO.           3.60                  5.19                  5.79
f             18.60                 69.90                131.23
W             38.41                 11.21                  6.06
Y             14.24                 14.24                 14.24
fB           38.867                 63.22                72.385
L            117.89                155.31                170.65
d5            2.232                32.046                43.221
d14          18.246                 5.844                 1.290
d21           6.787                 2.443                 2.000
（表３）
非球面データ（表示していない非球面係数は0.00である）
面番号   K          A4             A6             A8            A10
6      0.000   0.2513E-04    -0.9914E-07     0.4454E-09    -0.9618E-12
26     0.000   0.3671E-04     0.3789E-07     0.7307E-09
（表４）
レンズ群データ
群          始面          焦点距離
1              1            81.627
2              6           -12.103
3             16            45.917
4             22            41.035
【００３３】
［数値実施例２］
図７〜図１２と表５〜表８は、本発明による高変倍ズームレンズ系の数値実施例２を示している。図７は長焦点距離端における無限遠合焦時のレンズ構成図、図８はその諸収差図、図９はその横収差図であり、図１０は短焦点距離端における無限遠合焦時のレンズ構成図、図１１はその諸収差図、図１２はその横収差図である。表５は面データ、表６は各種データ、表７は非球面データ、表８はレンズ群データである。
【００３４】
この数値実施例２のレンズ構成は、数値実施例１のレンズ構成と同様である。
【００３５】
（表５）
面データ
面番号          r          d          N(d)        νｄ
1           132.353      1.800      1.84666       23.8
2            59.717      7.769      1.51680       64.2
3          -508.034      0.150
4            50.408      5.051      1.77250       49.6
5           153.947        d5
6*          445.617      0.200      1.52972       42.7
7           137.322      1.250      1.83481       42.7
8            12.602      5.403
9           -37.692      1.220      1.83481       42.7
10           49.000      0.500
11           29.241      3.678      1.84666       23.8
12          -29.241      0.726
13          -19.166      1.250      1.77250       49.6
14         -113.209       d14
15絞            ∞       0.700
16           57.543      2.279      1.48749       70.4
17          -57.543      0.500
18           23.413      3.731      1.48749       70.4
19         -118.753      0.598
20          -38.149      1.300      1.70154       41.2
21          293.464       d21
22           21.643      4.310      1.49700       81.6
23          -46.908      2.672
24         -289.027      1.500      1.80450       39.6
25           14.753      4.298      1.58913       61.2
26*        -130.439        -
＊は回転対称非球面である。
（表６）
各種データ
ズーム比（変倍比）    7.05
短焦点距離端          中間焦点距離          長焦点距離端
FNO.           3.60                  5.19                  5.77
f             18.61                 70.04                131.27
W             38.44                 11.16                  6.04
Y             14.24                 14.24                 14.24
fB           36.832                60.738                69.328
L            116.65                153.02                167.64
d5            2.376                32.170                43.348
d14          19.328                 6.635                 1.980
d21           7.235                 2.596                 2.102
（表７）
非球面データ（表示していない非球面係数は0.00である）
面番号   K          A4             A6             A8            A10
6      0.000   0.2996E-04    -0.9705E-07     0.3359E-09    -0.3629E-12
26     0.000   0.4561E-04     0.1617E-06     0.4136E-09
（表８）
レンズ群データ
群          始面          焦点距離
1              1            80.973
2              6           -12.285
3             16            43.478
4             22            45.449
【００３６】
［数値実施例３］
図１３〜図１８と表９〜表１２は、本発明による高変倍ズームレンズ系の数値実施例３を示している。図１３は長焦点距離端における無限遠合焦時のレンズ構成図、図１４はその諸収差図、図１５はその横収差図であり、図１６は短焦点距離端における無限遠合焦時のレンズ構成図、図１７はその諸収差図、図１８はその横収差図である。表９は面データ、表１０は各種データ、表１１は非球面データ、表１２はレンズ群データである。
【００３７】
この数値実施例３のレンズ構成は、数値実施例１のレンズ構成と同様である。
【００３８】
（表９）
面データ
面番号          r          d          N(d)        νｄ
1           135.134      1.800      1.84666       23.8
2            60.679      7.825      1.51680       64.2
3          -424.986      0.173
4            49.779      5.037      1.77250       49.6
5           145.810        d5
6*          731.924      0.200      1.52972       42.7
7           154.345      1.250      1.83481       42.7
8            12.411      5.501
9           -37.960      1.226      1.83481       42.7
10           49.000      0.500
11           29.300      3.681      1.84666       23.8
12          -29.300      0.692
13          -19.578      1.250      1.77250       49.6
14         -114.254       d14
15絞            ∞       0.700
16           57.277      2.290      1.48749       70.4
17          -57.277      0.500
18           25.498      3.367      1.48749       70.4
19         -104.456      0.549
20          -39.128      1.300      1.70154       41.2
21          258.781       d21
22           19.875      5.396      1.49700       81.6
23          -43.551      2.009
24         -143.308      1.500      1.80440       39.6
25           15.843      5.000      1.58913       61.2
26*        -139.484        -
＊は回転対称非球面である。
（表１０）
各種データ
ズーム比（変倍比）    7.06
短焦点距離端          中間焦点距離          長焦点距離端
FNO.           3.60                  5.16                  5.78
f             18.60                 70.11                131.33
W             38.46                 11.14                  6.03
Y             14.24                 14.24                 14.24
fB           37.372                 60.51                69.715
L            117.94                153.92                168.61
d5            2.372                32.527                43.211
d14          19.000                 6.648                 1.940
d21           7.454                 2.491                 2.000
（表１１）
非球面データ（表示していない非球面係数は0.00である）
面番号   K          A4             A6             A8            A10
6      0.000   0.3139E-04    -0.1027E-06     0.3042E-09    -0.3046E-12
26     0.000   0.5093E-04     0.1846E-06     0.5705E-09
（表１２）
レンズ群データ
群          始面          焦点距離
1              1            80.407
2              6           -12.186
3             16            45.918
4             22            43.850
【００３９】
［数値実施例４］
図１９〜図２４と表１３〜表１６は、本発明による高変倍ズームレンズ系の数値実施例４を示している。図１９は長焦点距離端における無限遠合焦時のレンズ構成図、図２０はその諸収差図、図２１はその横収差図であり、図２２は短焦点距離端における無限遠合焦時のレンズ構成図、図２３はその諸収差図、図２４はその横収差図である。表１３は面データ、表１４は各種データ、表１５は非球面データ、表１６はレンズ群データである。
【００４０】
この数値実施例４のレンズ構成は、数値実施例１のレンズ構成と同様である。
【００４１】
（表１３）
面データ
面番号          r          d          N(d)        νｄ
1           144.000      1.800      1.84666       23.8
2            57.600      7.730      1.56384       60.8
3          -800.000      0.150
4            50.630      5.060      1.80420       46.5
5           157.605        d5
6*          254.957      0.200      1.52972       42.7
7           139.000      1.250      1.83481       42.7
8            12.181      5.430
9           -37.680      1.220      1.88300       40.8
10           48.983      0.530
11           28.598      3.750      1.84666       23.8
12          -28.598      0.650
13          -19.783      1.250      1.77250       49.6
14         -152.239       d14
15絞            ∞       0.700
16           51.387      2.400      1.48749       70.4
17          -51.387      0.630
18           27.000      3.840      1.48749       70.4
19         -167.481      0.700
20          -36.572      1.300      1.60562       43.7
21          330.000       d21
22           17.929      4.720      1.45860       90.2
23          -46.238      1.960
24         -136.110      1.200      1.79952       42.2
25           12.448      4.560      1.58313       59.5
26*         -64.421        -
＊は回転対称非球面である。
（表１４）
各種データ
ズーム比（変倍比）    7.04
短焦点距離端          中間焦点距離          長焦点距離端
FNO.           3.60                  5.15                  5.76
f             18.60                 69.99                130.98
W             38.66                 11.17                  6.05
Y             14.24                 14.24                 14.24
fB           38.307                 62.13                71.489
L            117.90                154.18                169.13
d5            2.317                32.134                42.712
d14          18.258                 6.382                 1.903
d21           7.992                 2.505                 2.000
（表１５）
非球面データ（表示していない非球面係数は0.00である）
面番号   K          A4             A6             A8            A10
6      0.000   0.2523E-04    -0.7489E-07     0.1938E-09    -0.8848E-13
26     0.000   0.4032E-04     0.9330E-07     0.7805E-09
（表１６）
レンズ群データ
群          始面          焦点距離
1              1            79.318
2              6           -11.794
3             16            42.877
4             22            44.686
【００４２】
［数値実施例５］
図２５〜図３０と表１７〜表２０は、本発明による高変倍ズームレンズ系の数値実施例５を示している。図２５は長焦点距離端における無限遠合焦時のレンズ構成図、図２６はその諸収差図、図２７はその横収差図であり、図２８は短焦点距離端における無限遠合焦時のレンズ構成図、図２９はその諸収差図、図３０はその横収差図である。表１７は面データ、表１８は各種データ、表１９は非球面データ、表２０はレンズ群データである。
【００４３】
この数値実施例５のレンズ構成は、以下の点を除いて、数値実施例１のレンズ構成と同様である。
（１）第３レンズ群Ｇ３が、物体側から順に、両凸正レンズ３１’、及び物体側から順に位置する両凸正レンズ３２’と像側に凸の負メニスカスレンズ３３’の接合レンズＣ３からなる。
（２）第４レンズ群Ｇ４の負レンズ４２が、物体側に凸の負メニスカスレンズである。
【００４４】
（表１７）
面データ
面番号          r          d          N(d)        νｄ
1           112.862      1.800      1.80518       25.5
2            59.624      9.047      1.48749       70.4
3          -247.174      0.150
4            45.827      4.937      1.62644       60.1
5           106.700        d5
6*          139.249      0.100      1.52972       42.7
7            90.086      1.250      1.81115       45.6
8            11.669      5.892
9           -28.920      1.220      1.78251       48.6
10           30.875      0.100
11           24.032      4.191      1.80518       25.5
12          -24.323      0.692
13          -18.230      1.250      1.83481       42.7
14          -49.487       d14
15絞            ∞       0.500
16           50.205      2.054      1.48749       70.4
17         -165.189      0.500
18           33.003      4.124      1.49700       81.6
19          -21.047      1.300      1.70092       41.3
20        -3917.242       d20
21           29.003      3.843      1.56935       46.7
22          -93.324      4.531
23          196.599      1.300      1.83481       37.1
24           14.907      4.500      1.58636       60.9
25*         -54.560        -
＊は回転対称非球面である。
（表１８）
各種データ
ズーム比（変倍比）    7.05
短焦点距離端          中間焦点距離          長焦点距離端
FNO.           3.60                  5.17                  5.75
f             18.60                 70.06                131.05
W             38.31                 11.17                  6.07
Y             14.24                 14.24                 14.24
fB           41.061                66.507                75.566
L            122.52                161.50                177.12
d5            1.730                33.080                44.978
d14          19.195                 5.917                 1.290
d20           7.251                 2.714                 2.000
（表１９）
非球面データ（表示していない非球面係数は0.00である）
面番号   K          A4             A6             A8            A10
6      0.000   0.2547E-04    -0.1143E-06     0.4880E-09    -0.1036E-11
25     0.000   0.1857E-04     0.3422E-07     0.3102E-10
（表２０）
レンズ群データ
群          始面          焦点距離
1              1            85.196
2              6           -12.580
3             16            53.259
4             21            42.211
【００４５】
［数値実施例６］
図３１〜図３６と表２１〜表２４は、本発明による高変倍ズームレンズ系の数値実施例６を示している。図３１は長焦点距離端における無限遠合焦時のレンズ構成図、図３２はその諸収差図、図３３はその横収差図であり、図３４は短焦点距離端における無限遠合焦時のレンズ構成図、図３５はその諸収差図、図３６はその横収差図である。表２１は面データ、表２２は各種データ、表２３は非球面データ、表２４はレンズ群データである。
【００４６】
この数値実施例６のレンズ構成は、数値実施例１のレンズ構成と同様である。
【００４７】
（表２１）
面データ
面番号          r          d          N(d)        νｄ
1           139.583      1.800      1.84666       23.8
2            61.443      7.709      1.51680       64.2
3          -439.811      0.150
4            50.391      5.008      1.77250       49.6
5           149.603        d5
6*         5919.346      0.200      1.52972       42.7
7           187.094      1.250      1.83481       42.7
8            12.540      5.270
9           -39.288      1.220      1.83481       42.7
10           49.013      0.500
11           29.258      3.680      1.84666       23.8
12          -29.258      0.685
13          -19.620      1.250      1.77250       49.6
14         -111.613       d14
15絞            ∞       0.700
16           57.787      2.282      1.48749       70.4
17          -57.787      0.500
18           22.604      3.437      1.48749       70.4
19         -186.802      0.657
20          -40.215      1.300      1.70154       41.2
21          267.580       d21
22           20.484      5.317      1.49700       81.6
23          -43.744      1.916
24         -168.751      1.500      1.80440       39.6
25           14.905      4.514      1.58913       61.2
26*        -144.920        -
＊は回転対称非球面である。
（表２２）
各種データ
ズーム比（変倍比）    7.09
短焦点距離端          中間焦点距離          長焦点距離端
FNO.           3.60                  5.20                  5.81
f             18.60                 70.08                131.83
W             38.35                 11.16                  6.01
Y             14.24                 14.24                 14.24
fB            36.82                60.709                69.652
L            116.95                153.43                168.45
d5            2.500                32.793                44.107
d14          19.392                 6.640                 1.946
d21           7.397                 2.442                 1.900
（表２３）
非球面データ（表示していない非球面係数は0.00である）
面番号   K          A4             A6             A8            A10
6      0.000   0.3278E-04    -0.8984E-07     0.2257E-09    -0.1012E-12
26     0.000   0.5045E-04     0.1998E-06     0.5180E-09
（表２４）
レンズ群データ
群          始面          焦点距離
1              1            81.918
2              6           -12.392
3             16            43.682
4             22            45.748
【００４８】
［数値実施例７］
図３７〜図４２と表２５〜表２８は、本発明による高変倍ズームレンズ系の数値実施例７を示している。図３７は長焦点距離端における無限遠合焦時のレンズ構成図、図３８はその諸収差図、図３９はその横収差図であり、図４０は短焦点距離端における無限遠合焦時のレンズ構成図、図４１はその諸収差図、図４２はその横収差図である。表２５は面データ、表２６は各種データ、表２７は非球面データ、表２８はレンズ群データである。
【００４９】
この数値実施例７のレンズ構成は、数値実施例１のレンズ構成と同様である。
【００５０】
（表２５）
面データ
面番号          r          d          N(d)        νｄ
1           140.454      1.800      1.84666       23.8
2            62.395      7.624      1.51680       64.2
3          -437.153      0.150
4            51.428      4.924      1.77250       49.6
5           152.593        d5
6*          446.390      0.200      1.52972       42.7
7           128.300      1.250      1.83481       42.7
8            12.714      5.616
9           -37.804      1.416      1.83481       42.7
10           49.000      0.601
11           30.357      3.685      1.84666       23.8
12          -28.149      0.684
13          -19.151      1.250      1.77250       49.6
14         -131.493       d14
15絞            ∞       0.700
16           47.691      2.284      1.48749       70.4
17          -75.610      0.500
18           24.055      3.330      1.48749       70.4
19         -161.464      1.284
20          -39.241      1.300      1.70154       41.2
21          251.043       d21
22           18.272      4.863      1.49700       81.6
23          -36.840      1.633
24          -85.190      1.458      1.80440       39.6
25           17.028      4.410      1.58913       61.2
26*        -176.992        -
＊は回転対称非球面である。
（表２６）
各種データ
ズーム比（変倍比）    7.25
短焦点距離端          中間焦点距離          長焦点距離端
FNO.           3.60                  5.27                  5.80
f             18.60                 69.88                134.90
W             38.35                 11.17                  5.87
Y             14.24                 14.24                 14.24
fB           37.866                62.716                72.361
L            116.87                153.43                168.45
d5            2.352                32.800                44.886
d14          18.957                 6.600                 1.940
d21           6.732                 2.542                 2.000
（表２７）
非球面データ（表示していない非球面係数は0.00である）
面番号   K          A4             A6             A8            A10
6      0.000   0.3070E-04    -0.9139E-07     0.2722E-09    -0.2337E-12
26     0.000   0.6650E-04     0.2357E-06     0.9755E-09
（表２８）
レンズ群データ
群          始面          焦点距離
1              1            81.918
2              6           -12.392
3             16            43.682
4             22            45.748
【００５１】
各数値実施例の各条件式に対する値を表２９に示す。
（表２９）
実施例１     実施例２     実施例３     実施例４
条件式（１）     1.12         0.96         1.05         0.95
条件式（２）    -3.31        -3.83        -3.57        -3.57
条件式（３）    69.53        64.79        61.47        68.02
条件式（４）     0.24         0.23         0.22         0.22
条件式（５）    -0.642       -0.659       -0.662       -0.649
実施例５     実施例６     実施例７
条件式（１）     1.26         0.95         1.09
条件式（２）    -3.05        -3.82        -3.36
条件式（３）    61.68        59.84        64.88
条件式（４）     0.30         0.22         0.19
条件式（５）    -0.630       -0.651       -0.633
【００５２】
表２９から明らかなように、数値実施例１〜数値実施例７は、条件式（１）〜（５）を満足しており、また諸収差図から明らかなように諸収差は比較的よく補正されている。
【符号の説明】
【００５３】
Ｇ１  正の屈折力を持つ第１レンズ群
１１  負レンズ
１２  正レンズ
１３  正レンズ
Ｃ１  接合レンズ
Ｇ２  負の屈折力を持つ第２レンズ群
２１  負レンズ
２２  負レンズ
２３  正レンズ
２４  負レンズ
Ｇ３  正の屈折力を持つ第３レンズ群
３１  正レンズ
３２  正レンズ
３３  負レンズ
３１’  正レンズ
３２’  正レンズ
３３’  負レンズ
Ｃ３  接合レンズ
Ｇ４  正の屈折力を持つ第４レンズ群
４１  正レンズ
４２  負レンズ
４３  正レンズ
Ｃ４  接合レンズ
Ｓ  絞り
Ｉ  像面
【図１】
2012014005.tif 000003
【図２】
2012014005.tif 000004
【図３】
2012014005.tif 000005
【図４】
2012014005.tif 000006
【図５】
2012014005.tif 000007
【図６】
2012014005.tif 000008
【図７】
2012014005.tif 000009
【図８】
2012014005.tif 000010
【図９】
2012014005.tif 000011
【図１０】
2012014005.tif 000012
【図１１】
2012014005.tif 000013
【図１２】
2012014005.tif 000014
【図１３】
2012014005.tif 000015
【図１４】
2012014005.tif 000016
【図１５】
2012014005.tif 000017
【図１６】
2012014005.tif 000018
【図１７】
2012014005.tif 000019
【図１８】
2012014005.tif 000020
【図１９】
2012014005.tif 000021
【図２０】
2012014005.tif 000022
【図２１】
2012014005.tif 000023
【図２２】
2012014005.tif 000024
【図２３】
2012014005.tif 000025
【図２４】
2012014005.tif 000026
【図２５】
2012014005.tif 000027
【図２６】
2012014005.tif 000028
【図２７】
2012014005.tif 000029
【図２８】
2012014005.tif 000030
【図２９】
2012014005.tif 000031
【図３０】
2012014005.tif 000032
【図３１】
2012014005.tif 000033
【図３２】
2012014005.tif 000034
【図３３】
2012014005.tif 000035
【図３４】
2012014005.tif 000036
【図３５】
2012014005.tif 000037
【図３６】
2012014005.tif 000038
【図３７】
2012014005.tif 000039
【図３８】
2012014005.tif 000040
【図３９】
2012014005.tif 000041
【図４０】
2012014005.tif 000042
【図４１】
2012014005.tif 000043
【図４２】
2012014005.tif 000044
【図４３】
2012014005.tif 000045